(57)【要約】【課題】タブレットやレポートなどの薄型の表示物を汚すことなく見ることができる透明テーブルを提供する。【解決手段】透明テーブル１０は、テーブル台を構成する透明板１２と、透明板１２の下方側に配置され、透明板１２との間に隙間を形成する第２透明板１４と、透明板１２と第２透明板１４との間に所定幅の隙間Ｓが形成されるように、透明板１２と第２透明板１４とを固定して第２透明板１４から下方に延び出している脚部１６と、を備える。【選択図】図１
2020146409.tif 000002
【特許請求の範囲】
【請求項１】
テーブル台を構成する透明板と、
前記透明板の下方側に配置され、前記透明板との間に隙間を形成する第２透明板と、
前記透明板と前記第２透明板との間に所定幅の隙間が形成されるように、前記透明板と前記第２透明板とを固定して前記第２透明板から下方に延び出している脚部と、
を備えることを特徴とする透明テーブル。
【請求項２】
前記透明板は、実験台用に強化ガラスで構成されていることを特徴とする請求項１に記載の透明テーブル。
【請求項３】
前記透明板および第２透明板の平面視の寸法が同じであることを特徴とする請求項２に記載の透明テーブル。
【請求項４】
テーブル正面側から見て、前記脚部が左右側に１本ずつ配置され、
前記透明板および前記第２透明板の平面視の側辺形状は、脚部間では直線状であり、脚部よりも左右外側では湾曲凸状となっていることを特徴とする請求項３に記載の透明テーブル。
【請求項５】
テーブル正面側から見て、前記脚部が左右側に１本ずつ配置され、
前記透明板および前記第２透明板の平面視の側辺形状は、脚部間では直線状であり、脚部よりも左右外側では多角形状となっていることを特徴とする請求項３に記載の透明テーブル。
【請求項６】
前記脚部は、
透明な脚部本体と、
前記脚部本体の下方側に配置されて前記脚部の底部を構成し、ＬＥＤを有する照明部と、
を備えることを特徴とする請求項２〜５の何れか１項に記載の透明テーブル。
【請求項７】
前記ＬＥＤは、前記照明部の上部に配置されて上側を照らすように設けられていることを特徴とする請求項６に記載の透明テーブル。
【請求項８】
前記脚部本体は、内側に中空部を形成していることを特徴とする請求項７に記載の透明テーブル。
【請求項９】
前記脚部本体は、平面視では、前後方向に細長状に延び長手方向両端部が湾曲凸状にされていることを特徴とする請求項８に記載の透明テーブル。
【請求項１０】
前記照明部は、平面視では、前後方向に細長状に延び長手方向両端部が前記脚部本体の形状に合わせた湾曲凸状にされていることを特徴とする請求項９に記載の透明テーブル。
【請求項１１】
前記脚部本体には、複数の前記照明部が上下に並べられていることを特徴とする請求項１０に記載の透明テーブル。
【発明の詳細な説明】
【技術分野】
【０００１】
本発明は、透明テーブルに関する。
【背景技術】
【０００２】
テーブルが広く使われている。このテーブルは、作業台用、居住用、飾り用など、用途に合わせて形状が異なっていることが多い（例えば特許文献１参照）。
【０００３】
このようなテーブルのうち、テーブル上方からテーブル下方を見ることができるようにテーブル台が透けている透明テーブルが存在している。
【先行技術文献】
【特許文献】
【０００４】
【特許文献１】特許6467603
【発明の概要】
【発明が解決しようとする課題】
【０００５】
ところで、このような透明テーブルであっても、タブレットや用紙などを置く場合にはテーブル上に置くことになる。
【０００６】
このため、テーブル上に置いたタブレットや用紙を使用者が見る際に、水や手垢などが付着し易い。
【０００７】
本発明は、上記に鑑みてなされたもので、その目的とするところは、タブレットやレポートなどの薄型の表示物を汚すことなく見ることができる透明テーブルを提供することにある。
【課題を解決するための手段】
【０００８】
請求項１に記載の透明テーブルは、テーブル台を構成する透明板と、前記透明板の下方側に配置され、前記透明板との間に隙間を形成する第２透明板と、前記透明板と前記第２透明板との間に所定幅の隙間が形成されるように、前記透明板と前記第２透明板とを固定して前記第２透明板から下方に延び出している脚部と、を備えることを特徴とする。
【０００９】
請求項１に記載の透明テーブルでは、透明テーブルの使用者が、タブレット、説明書、レポート、メモ書きなどの表示物を透明板と第２透明板との間に差し込んで、透明板の上側から見ることができる。従って、透明板の上側で実験などを行う際、表示物に手を触れることなく表示物を見たり読んだりすることができる。よって、タブレットやレポートなどの薄型の表示物を汚すことなく見ることができる透明テーブルが実現される。
【００１０】
請求項２に記載の透明テーブルは、前記透明板が、実験台用に強化ガラスで構成されていることを特徴とする。
【００１１】
請求項２に記載の透明テーブルでは、実験中に不用意に衝撃や強い力が透明板に加えられても透明板が破損し難い。
【００１２】
請求項３に記載の透明テーブルは、透明板および第２透明板の平面視の寸法が同じであることを特徴とする。
【００１３】
請求項３に記載の透明テーブルでは、使用者の腕が不用意に透明板や第２透明板１４の側部に当たるときには、透明板および第２透明板の片方だけでなく両方に当たることが多い。ので、腕に加えられる衝撃力を分散させることができる。また、意匠性に優れた透明テーブルにすることができる。
【００１４】
請求項４に記載の透明テーブルは、テーブル正面側から見て、前記脚部が左右側に１本ずつ配置され、前記透明板および前記第２透明板の平面視の側辺形状は、脚部間では直線状であり、脚部よりも左右外側では湾曲凸状となっていることを特徴とする。
【００１５】
請求項４に記載の透明テーブルでは、テーブル正面側およびその反対側から使用者がテーブル上で作業をする際に、直線状の側辺部でテーブルに向いているので、作業を行い易い。その上、脚部よりも左右外側では、透明板および第２透明板が湾曲凸状なので、テーブルの利用面積を効率的に増大させることができる。
【００１６】
請求項５に記載の透明テーブルは、テーブル正面側から見て、前記脚部が左右側に１本ずつ配置され、前記透明板および前記第２透明板の平面視の側辺形状は、脚部間では直線状であり、脚部よりも左右外側では多角形状となっていることを特徴とする。
【００１７】
請求項５に記載の透明テーブルでは、テーブル正面側およびその反対側から使用者がテーブル上で作業をする際に、直線状の側辺部でテーブルに向いているので、請求項４と同様、作業を行い易い。その上、脚部よりも左右外側では、透明板および第２透明板が多角形状なので、請求項４と同様、テーブルの利用面積を効率的に増大させることができる。
【００１８】
請求項６に記載の透明テーブルは、前記脚部が、透明な脚部本体と、前記脚部本体の下方側に配置されて前記脚部の底部を構成し、ＬＥＤを有する照明部と、を備えることを特徴とする。
【００１９】
請求項６に記載の透明テーブルでは、透明な脚部本体をＬＥＤの光によって照らすことで、使用者が足元の状態を見易くすることを行い易い。
【００２０】
請求項７に記載の透明テーブルは、前記ＬＥＤが、前記照明部の上部に配置されて上側を照らすように設けられていることを特徴とする。
【００２１】
請求項７に記載の透明テーブルでは、請求項６による効果を大幅に顕著なものにすることができる。
【００２２】
請求項８に記載の透明テーブルは、前記脚部本体が、内側に中空部を形成していることを特徴とする。
【００２３】
請求項８に記載の透明テーブルでは、ＬＥＤの光が中空部を通過して脚部本体を全体にわたって照らすことが可能になる。
【００２４】
請求項９に記載の透明テーブルは、前記脚部本体は、平面視では、前後方向に細長状に延び長手方向両端部が湾曲凸状にされていることを特徴とする。
【００２５】
請求項９に記載の透明テーブルでは、使用者の足が不用意に脚部本体の長手方向端部に当たるときには、足に加えられる衝撃力を分散させることができる。また、意匠性に優れている。
【００２６】
請求項１０に記載の透明テーブルは、前記照明部は、平面視では、前後方向に細長状に延び長手方向両端部が前記脚部本体の形状に合わせた湾曲凸状にされていることを特徴とする。
【００２７】
請求項１０に記載の透明テーブルでは、脚部本体と照明部との段差をなくすことができる。従って、使用者にとって使い勝手が良く、しかも意匠性に優れる。
【００２８】
請求項１１に記載の透明テーブルは、前記脚部本体には、複数の前記照明部が上下に並べられていることを特徴とする。
【００２９】
請求項１１に記載の透明テーブルでは、更に上方位置にまで明るく照らすことができる。
【発明の効果】
【００３０】
本発明によれば、タブレットやレポートなどの薄型の表示物を汚すことなく見ることができる透明テーブルを提供できる。
【図面の簡単な説明】
【００３１】
【図１】本発明の一実施形態に係る透明テーブルを示す斜視図である。
【図２】本発明の一実施形態に係る透明テーブルを長手方向端側から見た側面図である。
【図３】本発明の一実施形態に係る透明テーブルの変形例を示す平面図である。
【発明を実施するための形態】
【００３２】
以下、図面を用いて実施形態を説明する。
【００３３】
（全体構成）
図１は、本実施形態に係る透明テーブルを示す斜視図である。図２は、本実施形態に係る透明テーブルを長手方向端側から見た側面図である。図３は、本実施形態に係る透明テーブルの変形例を示す平面図である。
【００３４】
本実施形態に係る透明テーブル１０は、テーブル台を構成する透明板１２と、透明板１２の下方側に配置され、透明板１２との間に隙間Ｓを形成する第２透明板１４とを備える。
【００３５】
本実施形態では、透明板１２は、実験台用に強化ガラスで構成されている。また、透明板１２および第２透明板１４の平面視の寸法は同じにされている。
【００３６】
また、透明テーブル１０は、透明板１２と第２透明板１４との間に所定幅ｄの隙間Ｓが形成されるように、透明板１２と第２透明板１４とを固定して第２透明板１４から下方に延び出している脚部１６を備える。本実施形態では、脚部１６は、上下方向長さがこの所定幅ｄと同じにされた支持部１８を上部に有する。この所定幅ｄは、隙間に差し込む表示物（タブレット、取扱説明書、レポート用紙など）の高さ幅に応じて設定する。
【００３７】
本実施形態では、透明テーブル１０は、テーブル正面側から見て、脚部１６が左右側に１本ずつ配置されている。そして、透明板１２および第２透明板１４の平面視の側辺形状は、脚部間（左右の脚部と脚部との間）では直線状ＳＬであり、脚部１６よりも左右外側では湾曲凸状ＰＬ１にされている。
【００３８】
脚部１６は、透明な脚部本体２４と、脚部本体２４の下方側に配置されて脚部１６の底部を構成する照明部２６とを備える。照明部２６は、ＬＥＤ２８を有する。このＬＥＤ２８は、照明部２６の上部に配置されて上側に発光するように設けられている。
【００３９】
脚部本体２４は、内側に中空部２４ｓを形成している。また、脚部本体２４は、平面視では、前後方向に細長状に延びていて長手方向両端部が湾曲凸状ＰＬ２にされている。そして、照明部２６は、平面視では、前後方向に細長状に延びていて、長手方向両端部が脚部本体２４の形状に合わせた湾曲凸状ＰＬ２にされている。
【００４０】
本実施形態では、透明テーブル１０の使用者は、タブレット、説明書、レポート、メモ書きなどの表示物を透明板１２と第２透明板１４との間に差し込んで、透明板１２の上側から見ることができる。
【００４１】
従って、透明板１２の上側で実験などを行う際、表示物に手を触れることなく表示物を見たり読んだりすることができる。よって、タブレットやレポートなどの薄型の表示物を汚すことなく見ることができる透明テーブル１０が実現される。
【００４２】
また、透明板１２は、実験台用に強化ガラスで構成されている。従って、実験中に不用意に衝撃や強い力が透明板１２に加えられても透明板１２が破損し難い。なお、第２透明板１４も強化ガラスで構成されていてもよく、これにより、第２透明板１４も破損し難くすることができる。
【００４３】
また、透明板１２および第２透明板１４の平面視の寸法が同じである。これにより、使用者（作業者）の腕が不用意に透明板１２や第２透明板１４の側部に当たるときには、透明板１２および第２透明板１４の片方だけでなく両方に当たることが多いので、腕に加えられる衝撃力を分散させることができる。また、意匠性に優れている。
【００４４】
また、テーブル正面側から見て、脚部１６が左右側に１本ずつ配置され、透明板１２および第２透明板１４の平面視の側辺形状は、脚部間では直線状ＳＬであり、脚部１６よりも左右外側では湾曲凸状ＰＬ１となっている。これにより、テーブル正面側およびその反対側から使用者がテーブル上で作業をする際に、直線状ＳＬの側辺部でテーブルに向いているので、作業を行い易い。その上、脚部よりも左右外側では、透明板１２および第２透明板１４が湾曲凸状ＰＬ１なので、テーブルの利用面積を効率的に増大させることができる。
【００４５】
また、脚部１６は、透明な脚部本体２４と、脚部本体２４の下方側に配置されて脚部１６の底部を構成し、ＬＥＤ２８を有する照明部２６と、を備える。これにより、透明な脚部本体２４をＬＥＤ２８の光によって照らすことで、使用者が足元の状態を見易くすることを行い易い。
【００４６】
また、ＬＥＤ２８は、照明部２６の上部に配置されて上側に発光する（すなわち上側を照らす）ように設けられている。これにより、この効果を大幅に顕著なものにすることができる。
【００４７】
また、脚部本体２４は、内側に中空部２４ｓを形成している。これにより、ＬＥＤ２８の光が中空部２４ｓを通過して脚部本体２４を全体にわたって照らすことが可能になる。
【００４８】
また、脚部本体２４は、平面視では、前後方向に細長状に延び長手方向両端部が湾曲凸状ＰＬ２にされている。これにより、使用者の足が不用意に脚部本体２４の長手方向端部に当たるときには、足に加えられる衝撃力を分散させることができる。また、意匠性に優れている。
【００４９】
また、照明部２６は、平面視では、前後方向に細長状に延び長手方向両端部が脚部本体２４の形状に合わせた湾曲凸状ＰＬ２にされている。これにより、脚部本体２４と照明部２６との段差をなくすことができる。従って、使用者にとって使い勝手が良く、しかも意匠性に優れる。
【００５０】
なお、例えば、複数の照明部２６を上下に並べるなどして、脚部本体２４にＬＥＤ２８が上下方向に配列される構成にしてもよい（図２の二点鎖線参照）。これにより、更に上方位置にまで明るく照らすことができる。
【００５１】
また、図３に示すように、透明板および第２透明板の平面視の側辺形状が、脚部１６よりも左右外側では多角形状ＱＬとなっている透明テーブル３０であってもよい。これにより、同様に、テーブル正面側およびその反対側から使用者がする際、作業を行い易く、また、意匠性に優れるという効果が奏される。
【００５２】
また、ＬＥＤ２８の発光色は、赤、青、緑など種々の色に設定することができる。従って、注意喚起、冷静さ、安堵感、など目的に応じた色に設定することができる。
【符号の説明】
【００５３】
１０  透明テーブル
１２  透明板
１４  第２透明板
１６  脚部
１８  支持部
２４  脚部本体
２４ｓ  中空部
２６  照明部
２８  ＬＥＤ
３０  透明テーブル
ｄ  所定幅
ＰＬ１  湾曲凸状
ＰＬ２  湾曲凸状
ＱＬ  多角形状
Ｓ  隙間
ＳＬ  直線状
【図１】
2020146409.tif 000003
【図２】
2020146409.tif 000004
【図３】
2020146409.tif 000005